(57)【特許請求の範囲】
【請求項１】
建築物の外周におけるＨ形鋼からなる柱のフランジに着脱自在に取り付けられて足場を支持する足場の支持具であって、
水平方向へ延び足場を支持するブラケットと、このブラケットに固定され上記フランジの幅方向一端部に係合可能な第１係合部材と、上記ブラケットにスライド自在に支持され上記フランジの幅方向他端部に係合可能な第２係合部材と、上記第１及び第２係合部材が互いに接近する方向へ力を加えて第１及び第２係合部材を上記フランジに着脱自在に固定する固定部材とを備え、
上記第１係合部材の上記ブラケットの上面及び下面にそれぞれ固定された上下１対の水平プレートの間に支軸を垂直方向に取り付け、
この支軸に上下１対の支持プレートを回動自在に嵌合し、
これら上下１対の支持プレートの間に上記固定部材を構成する水平方向へ延びるボルトの基端部を固定し、
上記第２係合部材の上記ブラケットの上面及び下面にそれぞれ摺接する上下１対の水平プレートの間に上記ブラケットの長手方向に対して直交して前方へ延びる垂直プレートを垂直方向に設け、
この垂直プレートに形成された溝に上記ボルトの先端部を挿入し、
このボルトの先端部にナットを螺合して締め付けることにより、
上記第１及び第２係合部材が互いに接近する方向へ力を加えることができるようにしたことを特徴とする足場の支持具。
【請求項２】
上記第１及び第２係合部材は上記ブラケットの長手方向中間部付近に設けられ、上記支持具の上記フランジへの取付時に上記ブラケットが上記建築物の屋内側及び屋外側に延びることを特徴とする請求項１記載の足場の支持具。
【請求項３】
上記ブラケットの長手方向端部に、手摺ロープ用の支柱の下端部を支持する筒状の支持部が設けられていることを特徴とする請求項１または２記載の足場の支持具。
【発明の詳細な説明】
【０００１】
【産業上の利用分野】
本発明は、鉄骨造の建築物の外周におけるＨ形鋼からなる柱に着脱自在に取り付けられて足場（足場板）を支持する足場の支持具に関するものである。
【０００２】
【従来の技術】
従来、鉄骨造の住宅の建築時には、住宅の外周に沿って鋼管等により外部足場を設置するようにしていた。この外部足場は、周知のように、建地、布、腕木等の部材を縦横に組み合わせ、隣接する腕木間に足場板を水平方向へ架け渡してなるものである。
【０００３】
ところが、上記のような外部足場を用いた場合、外壁パネルの取付工事の際に、住宅の外周に隣接して位置する上記外部足場が障害となって、外壁パネルの取付位置への運搬や取付が行いにくくなるとともに、足場の設置コストが高くなる問題を有していた。そこで、外部足場を使用せずに、屋内側の床上に適宜脚立等を設置して外壁パネルを取り付けることも行われている。
【０００４】
【発明が解決しようとする課題】
ところが、上記のように、屋内側から外壁パネルの取付を行う場合、作業者が屋外側に身を乗り出して作業しなければならない箇所も発生するので、作業に危険が伴う問題を有していた。
【０００５】
【課題を解決するための手段】
本発明は前記の課題を解決して、建築物の外周におけるＨ形鋼からなる柱に着脱自在に取り付けて足場を支持することにより、作業の安全性を確保することのできる足場の支持具を提供することを目的とする。
そのため、本発明の請求項１の足場の支持具は、建築物の外周におけるＨ形鋼からなる柱のフランジに着脱自在に取り付けられて足場を支持する足場の支持具であって、水平方向へ延び足場を支持するブラケットと、このブラケットに固定され上記フランジの幅方向一端部に係合可能な第１係合部材と、上記ブラケットにスライド自在に支持され上記フランジの幅方向他端部に係合可能な第２係合部材と、上記第１及び第２係合部材が互いに接近する方向へ力を加えて第１及び第２係合部材を上記フランジに着脱自在に固定する固定部材とを備え、上記第１係合部材の上記ブラケットの上面及び下面にそれぞれ固定された上下１対の水平プレートの間に支軸を垂直方向に取り付け、この支軸に上下１対の支持プレートを回動自在に嵌合し、これら上下１対の支持プレートの間に上記固定部材を構成する水平方向へ延びるボルトの基端部を固定し、上記第２係合部材の上記ブラケットの上面及び下面にそれぞれ摺接する上下１対の水平プレートの間に上記ブラケットの長手方向に対して直交して前方へ延びる垂直プレートを垂直方向に設け、この垂直プレートに形成された溝に上記ボルトの先端部を挿入し、このボルトの先端部にナットを螺合して締め付けることにより、上記第１及び第２係合部材が互いに接近する方向へ力を加えることができるようにしたことを特徴とするものである。
【０００６】
請求項２の足場の支持具は、請求項１の構成において、上記第１及び第２係合部材は上記ブラケットの長手方向中間部付近に設けられ、上記支持具の上記フランジへの取付時に上記ブラケットが上記建築物の屋内側及び屋外側に延びることを特徴とするものである。
【０００７】
請求項３の足場の支持具は、請求項１または２の構成において、上記ブラケットの長手方向端部に、手摺ロープ用の支柱の下端部を支持する筒状の支持部が設けられていることを特徴とするものである。
【０００８】
【発明の実施の形態】
以下、本発明の実施の形態を図面に基づいて説明する。図１乃至図３に示すように、本実施の形態における足場の支持具１は、角パイプからなるブラケット２を備え、ブラケット２の長手方向両端部には、後述する支柱１５（図７参照）の下端部を挿入して支持するための円筒状の支持部２ａが各々一体的に設けられている。また、ブラケット２の長手方向中間部付近には、第１及び第２係合部材３、４が設けられている。
【０００９】
図４にも示すように、第１係合部材３は、後述する柱１２（図７）のフランジ１２ａの幅方向一端部を前面側及び後面側から挟み付ける状態で上記幅方向一端部に係合可能な水平断面コ字形の係合部３ａと、各々その後端が係合部３ａに接続される上下１対の水平プレート３ｂ、３ｃとを備えている。上記係合部３ａはブラケット２の後面に溶接等で固定されるとともに、水平プレート３ｂ、３ｃは各々ブラケット２の上面及び下面に固定されている。
【００１０】
図５にも示すように、第２係合部材４は、上記柱１２のフランジ１２ａの幅方向他端部を前面側及び後面側から挟み付ける状態で上記幅方向他端部に係合可能な水平断面コ字形の係合部４ａと、各々その後端が係合部４ａに接続される上下１対の水平プレート４ｂ、４ｃと、係合部４ａの前方で係合部４ａとの間に所定の間隔を隔てて垂直方向へ延びる垂直プレート４ｄと、この垂直プレート４ｄから垂直プレート４ｄと直交して水平プレート４ｂ、４ｃ間で前方へ延びる垂直プレート４ｅとを備えている。そして、係合部４ａ、水平プレート４ｂ、４ｃ及び垂直プレート４ｄがブラケット２の外周をスライド自在に包囲し、これにより、第２係合部材４はブラケット２の長手方向へスライド自在とされている。
【００１１】
第１係合部材３の水平プレート３ｂ、３ｃ間には、垂直方向の支軸５が取り付けられ、この支軸５には上下１対の支持プレート６、７が孔６ａ、７ａで回動自在に嵌合されている。これら支持プレート６、７間に、水平方向へ延びるボルト８（固定部材）の基端部が溶接等により固定されている。また、第２係合部材４の垂直プレート４ｅには、ボルト８の先端部が挿入可能な溝４ｆ（図６参照）が形成されている。そして、ボルト８の先端部を溝４ｆに挿入するとともに、上記先端部にワッシャ９を挿入して垂直プレート４ｅに当て、この状態でナット１０をボルト８の先端部に螺合して締め付けることにより、第１及び第２係合部材３、４が互いに接近する方向へ力を加えることができるようになっている。
【００１２】
次に、住宅（建築物）の外周におけるＨ形鋼からなる柱１２のフランジ１２ａに支持具１を取り付ける手順を説明する。図６に示すように、柱１２のフランジ１２ａに支持具１を取り付ける際には、ワッシャ９及びナット１０を緩めるか、またはこれらをボルト８から取り外した状態で、ボルト８を支軸５の回りで前方へ回動させて第２係合部材４の垂直プレート４ｅの溝４ｆから離脱させるとともに、第２係合部材４を第１係合部材３からある程度離れた位置にスライドさせておく。
【００１３】
そして、第２係合部材４を第１係合部材３に接近する方向へスライドさせながら、第１及び第２係合部材３、４の各係合部３ａ、４ａでフランジ１２ａの幅方向一端部及び幅方向他端部を各々挟み付ける。この状態で、ボルト８を第２係合部材４の垂直プレート４ｅの溝４ｆに挿入するとともに、ワッシャ９を垂直プレート４ｅに当て、ナット１０をボルト８に締め付けることにより、第２係合部材４が第１係合部材３に接近する方向の力を加え、第１及び第２係合部材３、４でフランジ１２ａを幅方向両側から挟み付けるようにして、図７に示すように、支持具１を柱１２の一方のフランジ１２ａに固定する。
【００１４】
実際には、図８に示すように、上記の手順で住宅の外周における複数の柱１２の一方のフランジ１２ａに各々支持具１を取り付ける。取付状態で、各支持具１のブラケット２は、住宅の外周における梁１３と直交する方向へ延び、第１及び第２係合部材３、４がブラケット２の長手方向中間部付近に設けられていることから、各ブラケット２の一半部は屋内側、つまり、梁１３より内側に位置し、他半部は屋外側、つまり、梁１３より外側に位置することになる。
【００１５】
ここでは、例えば、隣接する複数のブラケット２の屋外側における上記他半部上に足場板１４（足場）を架け渡し、作業者Ｗがこの足場板１４上で図示しない外壁パネルの取付等の各種作業を行う。その場合、足場板１４はブラケット２に、図示しないゴムバンド、或いはロープ等の締結手段を用いて締結しておくことが好ましい。
【００１６】
また、各ブラケット２の長手方向における屋外側端部の支持部２ａに垂直方向に延びる支柱１５の下端部を挿入して支持させるとともに、これらの支柱１５の上端部間に手摺ロープ１６を張り渡すことにより、作業者Ｗの転落事故の危険を少なくすることができる。
【００１７】
作業が終了して足場を撤去する場合は、上記と逆に、まず、手摺ロープ１６、支柱１５及び足場板１４を順次取り外した後、ブラケット２を柱１２のフランジ１２ａから取り外せばよい。なお、上記の説明では、ブラケット２の上記他半部上、つまり、住宅の屋外側に足場板１４を架け渡すようにしたが、必要に応じて、図８に２点鎖線で示すように、ブラケット２の上記一半部上、つまり、住宅の屋内側に足場板１４を架け渡すようにしてもよい。その場合、ブラケット２の屋内側端部に支柱１５を立設して手摺ロープ１６を張り渡せばよい。また、上記屋外側及び屋内側の双方に各々足場板１４を架け渡すことも可能である。
【００１８】
なお、上記実施の形態では、ブラケット２を比較的長尺に形成するとともに、ブラケット２の長手方向中間部付近に第１及び第２係合部材３、４を設けて取付状態でブラケット２が住宅の屋内側、屋外側の双方に延びるようにしたが、ブラケット２をより短く形成するとともに、ブラケット２の長手方向一端部付近に第１及び第２係合部材３、４を設けることにより、柱１２のフランジ１２ａへの取付状態でブラケット２が住宅の屋内側または屋外側のいずれかのみへ延びるように構成しても差し支えない。
【００１９】
【発明の効果】
本発明の請求項１の足場の支持具は、建築物の外周におけるＨ形鋼からなる柱のフランジに着脱自在に取り付けられて足場を支持する足場の支持具であって、水平方向へ延び足場を支持するブラケットと、このブラケットに固定され上記フランジの幅方向一端部に係合可能な第１係合部材と、上記ブラケットにスライド自在に支持され上記フランジの幅方向他端部に係合可能な第２係合部材と、上記第１及び第２係合部材が互いに接近する方向へ力を加えて第１及び第２係合部材を上記フランジに着脱自在に固定する固定部材とを備えたものであるから、上記ブラケットを第１及び第２係合部材を用いて建築物外周のＨ形鋼からなる複数の柱のフランジに各々取り付けた状態で、隣接するブラケット間に足場（足場板）を水平方向に架け渡し、この足場上で作業することにより、外壁パネルの取付等の作業を安全且つ容易に行うことができ、且つ従来の外部足場を用いる場合に比べて足場の設置コストを大幅に低減させることができる。
【００２０】
請求項２の足場の支持具は、請求項１の構成において、上記第１及び第２係合部材は上記ブラケットの長手方向中間部付近に設けられ、上記支持具の上記フランジへの取付時に上記ブラケットが上記建築物の屋内側及び屋外側に延びるものであるから、上記建築物の屋内側、屋外側またはそれらの双方に足場を設けることができ、作業の種類等に応じて、足場の設置位置を選択できる利点がある。
【００２１】
請求項３の足場の支持具は、請求項１または２の構成において、上記ブラケットの長手方向端部に、手摺ロープ用の支柱の下端部を支持する筒状の支持部が設けられているものであるから、複数のブラケットの支持部に各々支柱を立て、隣接する支柱間に上記手摺ロープを張り渡すことにより、作業者を上記手摺ロープで保護して転落事故の危険に少なくすることができる。
【図面の簡単な説明】
【図１】本発明の実施の形態における足場の支持具を示す斜視図。
【図２】上記支持具を示す正面図。
【図３】図２のＡ−Ａ線に沿う水平断面図。
【図４】図２のＢ−Ｂ線に沿う垂直断面図。
【図５】図２のＣ−Ｃ線に沿う垂直断面図。
【図６】上記支持具の第２係合部材を第１係合部材から離間させた状態を示す斜視図。
【図７】上記支持具をＨ形鋼からなる柱のフランジに取り付けた状態を示す斜視図。
【図８】上記支持具のブラケット上に足場板を架け渡した状態を示す斜視図。
【符号の説明】
１  支持具
２  ブラケット
２ａ  支持部
３  第１係合部材
４  第２係合部材
８  ボルト（固定部材）
１２  柱
１２ａ  フランジ
１５  支柱
１６  手摺ロープ
【図１】
0003542061.tif 000002
【図２】
0003542061.tif 000003
【図３】
0003542061.tif 000004
【図４】
0003542061.tif 000005
【図５】
0003542061.tif 000006
【図６】
0003542061.tif 000007
【図７】
0003542061.tif 000008
【図８】
0003542061.tif 000009